【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
試験のために、基板上に生物学的試料を調製するための装置であって、前記装置は、
基板把持部を含む基板アームと、
前記基板アームに接続され、開放位置と試料処理位置との間で前記基板アームを移動させるように構成されるアクチュエータと、
前記基板アームが前記試料処理位置にあるときに前記基板と向かい合って位置付けられる上面を有し、前記基板に対向するプラットフォームの表面に位置付けられる少なくとも１つの流体ポート、および基板に対向するプラットフォームの表面に位置付けられる少なくとも１つの真空ポートを含むプラットフォームと、
前記プラットフォームの上面に配置される２つまたは３つ以上のオフセットと
を備え、
前記基板が前記試料処理位置において前記オフセットの全てと接触すると、前記基板および前記プラットフォームの上面が略平行であり、少なくとも５０ミクロンの離間部を形成し、動作中に、前記装置は、
（ａ）前記基板と前記プラットフォームとの間の離間部を充填するために前記少なくとも１つの流体ポートから第１の量の流体を供給し、
（ｂ）前記第１の量の流体の部分を置換するために、前記少なくとも１つの流体ポートから前記離間部内へ付加的な量の流体を供給し、
（ｃ）前記少なくとも１つの真空ポートを通して前記離間部から前記第１の量の流体の部分を除去すること
によって、前記少なくとも１つの流体ポートと前記少なくとも１つの真空ポートとの間で流体を循環させるように構成される装置。
【請求項２】
動作中に、前記装置が、
前記離間部の流体の部分を置換するために、前記少なくとも１つの流体ポートから前記離間部内へ複数の付加的な量の流体を供給し、
前記流体の置換部分を前記少なくとも１つの真空ポートを通して除去するように構成される請求項１記載の装置。
【請求項３】
付加的な量の流体を連続的に供給し、前記第１の量の流体の部分を除去するように構成される請求項１記載の装置。
【請求項４】
前記複数の付加的な量の流体の供給と、流体の置換部分の除去とを交互に行い、前記少なくとも１つの流体ポートと前記少なくとも１つの真空ポートとの間に流体の脈動流を発生させるように構成される請求項２記載の装置。
【請求項５】
前記複数の付加的な量の流体は、少なくとも２つの付加的な量の流体を含んでいる請求項２記載の装置。
【請求項６】
前記複数の付加的な量の流体は、少なくとも４つの付加的な量の流体を含んでいる請求項２記載の装置。
【請求項７】
毎秒２０マイクロリットル以上の流速で、前記少なくとも１つの流体ポートから前記付加的な量の流体を供給するように構成される請求項１記載の装置。
【請求項８】
毎秒２５０マイクロリットル以下の流速で、前記少なくとも１つの流体ポートから前記付加的な量の流体を供給するように構成される請求項１記載の装置。
【請求項９】
前記プラットフォームは、前記少なくとも１つの流体ポートが、前記少なくとも１つの真空ポートに対して３度以上の角度で上方に傾斜されるように配向される請求項１記載の装置。
【請求項１０】
前記プラットフォームは、前記少なくとも１つの流体ポートが、前記少なくとも１つの真空ポートに対して２０度以上の角度で上方に傾斜されるように配向される請求項１記載の装置。
【請求項１１】
前記基板把持部上に位置付けられる吸引ポートをさらに備え、前記吸引ポートは、吸引チューブを通して前記吸引ポートに吸引力を提供して、前記基板を前記基板把持部に固定するために、吸引源に接続可能である請求項１記載の装置。
【請求項１２】
前記少なくとも１つの流体ポートは、第１染色剤ポートを含み、前記装置はさらに、第１染色剤リザーバと、前記第１染色剤ポートに接続される第１染色剤導管とを含み、動作中、第１染色剤を含む流体が前記第１染色剤ポートを通って前記第１染色剤リザーバから前記離間部内へと供給可能である請求項１記載の装置。
【請求項１３】
前記少なくとも１つの流体ポートは、前記プラットフォームの表面上で前記第１染色剤ポートから離間される第２染色剤ポートを含み、前記装置はさらに、第２染色剤リザーバと、前記第２染色剤ポートに接続される第２染色剤導管とを含み、動作中、第２染色剤を含む流体が前記第２染色剤ポートを通って前記第２染色剤リザーバから前記離間部内へと供給可能である請求項１２記載の装置。
【請求項１４】
前記少なくとも１つの流体ポートは、固定剤ポートを含み、前記装置はさらに、固定剤リザーバと、前記固定剤ポートに接続される固定剤導管とを含み、動作中、固定剤を含む流体が前記固定剤ポートを通って前記固定剤リザーバから前記離間部内へと供給可能である請求項１記載の装置。
【請求項１５】
前記少なくとも１つの流体剤ポートは、洗浄剤ポートを含み、前記装置はさらに、洗浄剤リザーバと、前記洗浄剤ポートに接続される洗浄剤導管とを含み、動作中、洗浄剤流体が前記洗浄剤ポートを通って前記洗浄剤リザーバから前記離間部内へと供給可能である請求項１記載の装置。
【請求項１６】
前記少なくとも１つの真空ポートに接続される廃棄物導管および廃棄物容器をさらに備える請求項１記載の装置。
【請求項１７】
動作中、前記少なくとも１つの流体ポートと前記少なくとも１つの真空ポートとの間に、負圧の通路が確立される請求項１記載の装置。
【請求項１８】
前記少なくとも１つの真空ポートは、複数の真空ポートを備える請求項１記載の装置。
【請求項１９】
前記少なくとも１つの流体ポートは、第１染色剤ポート、第２染色剤ポート、固定剤ポートおよび洗浄剤ポートを含み、動作中、前記装置は、ステップ（ａ）、（ｂ）および（ｃ）を実施することによって、第１染色剤を含む流体、第２染色剤を含む流体、固定剤を含む流体、および洗浄剤流体を循環させ、前記第１染色剤ポート、前記第２染色剤ポート、前記固定剤ポートおよび前記洗浄剤ポートから、それぞれ、流体を供給するように構成される請求項１記載の装置。
【請求項２０】
凹部を有する支持ブロックをさらに備え、
前記プラットフォームは前記支持ブロックの前記凹部内に配置され、
前記基板は、前記離間部からの流体が前記凹部内に回収されるように、前記支持ブロックの上面に対して上昇される請求項１記載の装置。
【請求項２１】
前記基板アームが第１基板アームであり、前記基板把持部が第１基板把持部であり、前記装置はさらに、
第２基板把持部を含む第２基板アームと、
少なくとも２つの位置間で前記装置を移動させるように構成される移動機構とを備え、
前記少なくとも２つの位置のうちの１つ目には、基板移動装置から基板を取り出すために前記第１基板把持部が配置され、前記少なくとも２つの位置のうちの２つ目には、前記基板移動装置から基板を取り出すために前記第２基板把持部が配置される請求項１記載の装置。
【請求項２２】
前記移動機構に接続される制御システムをさらに備え、前記制御システムは、前記装置の動作中、
基板が前記第２基板把持部に取り付けられ、前記第２基板アームが前記開放位置、前記試料処理位置、または前記開放位置と前記試料処理位置との間の中間位置にあるときに、前記第１基板把持部が前記基板移動装置から基板を取り出すように配置され、
基板が前記第１基板把持部に取り付けられ、前記第１基板アームが前記開放位置、前記試料処理位置、または前記開放位置と前記試料処理位置との間の中間位置にあるときに、前記第２基板把持部が前記基板移動装置から基板を取り出すように配置されるよう、
前記制御システムが前記移動機構を作動させるように構成される請求項２１記載の装置。
【請求項２３】
試験のために、基板上に生物学的試料を調製する方法であって、前記方法は、
（ａ）前記生物学的試料が表面に面し、前記基板および前記表面が略平行であり少なくとも５０ミクロンの離間部を形成するように、前記基板を前記表面に対して配置すること、
（ｂ）前記離間部を充填するのに充分な量で、前記基板と前記表面との間の前記離間部内に、第１の量の、（ｉ）第１固定剤溶液、（ｉｉ）第１染色剤溶液、（ｉｉｉ）第２染色剤溶液および（ｉｖ）第１洗浄剤溶液を順次供給すること、および
（ｃ）ステップ（ｂ）において溶液（ｉ）、（ｉｉ）、（ｉｉｉ）および（ｉｖ）のそれぞれの前記第１の量を供給した後、かつ、ステップ（ｂ）において次の溶液（ｉ）、（ｉｉ）、（ｉｉｉ）および（ｉｖ）を供給する前に、
付加的な量の溶液を前記離間部内に供給して前記第１の量の溶液の部分を置換し、
真空ポートを通して前記第１の量の溶液の部分を除去すること
を含んでいる方法。
【請求項２４】
前記離間部の溶液の部分を置換するために、複数の付加的な量の溶液を前記離間部内に供給すること、および
前記溶液の置換部分を、前記真空ポートを通して除去すること
をさらに含む請求項２３記載の方法。
【請求項２５】
前記離間部内の溶液を循環させるために、前記付加的な量の溶液を連続的に供給し、前記第１の量の溶液の部分を、前記真空ポートを通して除去することを含む請求項２３記載の方法。
【請求項２６】
前記離間部内に溶液の脈動流を発生させるために、前記複数の付加的な量の溶液の供給と、前記溶液の置換部分の除去とを交互に行うことを含む請求項２４記載の方法。
【請求項２７】
前記複数の付加的な量の溶液は、少なくとも２つの付加的な量の溶液を含む請求項２４記載の方法。
【請求項２８】
前記複数の付加的な量の溶液は、少なくとも４つの付加的な量の溶液を含む請求項２４記載の方法。
【請求項２９】
毎秒２０マイクロリットル以上の流速で、前記付加的な量の溶液を前記離間部内へ供給することをさらに含む請求項２３記載の方法。
【請求項３０】
毎秒２５０マイクロリットル以下の流速で、前記付加的な量の溶液を前記離間部内へ供給することをさらに含む請求項２３記載の方法。
【請求項３１】
ステップ（ａ）、（ｂ）および（ｃ）が、６０秒未満の合計時間で実施される請求項２３記載の方法。
【請求項３２】
試験のために、基板上に生物学的試料を調製する方法であって、前記方法は、
（ａ）前記生物学的試料が表面に面し、前記基板および前記表面が略平行であり少なくとも５０ミクロンの離間部を形成するように、前記基板を前記表面に対して配置すること、
（ｂ）前記離間部を充填するのに充分な量で、前記離間部内に、第１の量の固定剤溶液を供給することと、
前記固定剤溶液の第１の量の部分を置換するために、付加的な量の前記固定剤溶液を前記離間部内に供給することと、
前記第１の量の固定剤溶液の置換部分を、真空ポートを通して除去することと
を含む固定段階を実施すること、
（ｃ）前記離間部を充填するのに充分な量で、前記離間部内に第１の量の第１染色剤溶液を供給することと、
前記第１染色剤溶液の第１の量の部分を置換するために、付加的な量の第１染色剤溶液を前記離間部内に供給することと、
前記第１染色剤溶液の置換部分を、前記真空ポートを通して除去することと
を含む第１染色段階を実施すること、
（ｄ）前記離間部を充填するのに充分な量で、前記離間部内に第１の量の第２染色剤溶液を供給することと、
前記第２染色剤溶液の第１の量の部分を置換するために、付加的な量の前記第２染色剤溶液を前記離間部内に供給することと、
前記第２染色剤溶液の置換部分を、前記真空ポートを通して除去することと
を含む第２染色段階を実施すること、および
（ｅ）前記離間部を充填するのに充分な量で、前記離間部内に第１の量の洗浄剤溶液を供給することと、
前記洗浄剤溶液の第１の量の部分を置換するために、付加的な量の前記洗浄剤溶液を前記離間部内に供給することと、
前記洗浄剤溶液の置換部分を、前記真空ポートを通して除去することと
を含む洗浄段階を実施すること
を含んでいる方法。